(57)【要約】【課題】有線配線を不要にして電気機器の電源操作を自動的に行うことができる電気機器の電源操作装置を得る。【解決手段】荷重が作用したことを検出する圧力マット４と、圧力マット４の検出信号に基づいて電源を投入または遮断する電源操作信号を無線送信するリモコン信号送信機３とを備え、電源操作信号を受信するリモコン信号受光部２を内蔵したリモコン機能付き電気機器１の電源の投入または遮断を行う。また、電気機器にリモコン機能がない場合には、電源と電気機器１との間に設けられ、リモコン信号送信機からの電源操作信号を受信するリモコン信号受光部２を内蔵して、前記電源操作信号の受信に基づいて電気機器の電源操作を行う電源操作ユニットを備える。【選択図】図１
2018182633.tif 000002
【特許請求の範囲】
【請求項１】
荷重が作用したことを検出する圧力マットと、
前記圧力マットの検出信号に基づいて電源を投入または遮断する電源操作信号を無線送信するリモコン信号送信機と、
を備え、前記電源操作信号を受信するリモコン信号受光部を内蔵したリモコン機能付き電気機器の電源の投入または遮断を行うことを特徴とする電気機器の電源操作装置。
【請求項２】
前記圧力マットは複数連結してなることを特徴とする請求項１に記載の電気機器の電源操作装置。
【請求項３】
前記圧力マットは、複数離れて配置され、
前記リモコン信号送信機は、離れて配置された圧力マットに応じて別々に備えられ、
離れて配置された圧力マットの検出信号に基づいて前記リモコン機能付き電気機器の電源の投入または遮断を行うことを特徴とする請求項１に記載の電気機器の電源操作装置。
【請求項４】
荷重が作用したことを検出する圧力マットと、
前記圧力マットの検出信号に基づいて電源を投入または遮断する電源操作信号を無線送信するリモコン信号送信機と、
電源と電気機器との間に設けられ、前記リモコン信号送信機からの電源操作信号を受信するリモコン信号受光部を内蔵して、前記電源操作信号の受信に基づいて前記電気機器の電源操作を行う電源操作ユニットと、
を備えたことを特徴とする電気機器の電源操作装置。
【発明の詳細な説明】
【技術分野】
【０００１】
この発明は、電気機器の電源を自動的に投入または遮断するための電気機器の電源操作装置に関するものである。
【背景技術】
【０００２】
従来の電気機器の電源操作装置として、荷重が作用したことを検出する接触型センサである圧力マットを用い、圧力センサ、電気機器及び圧力マットの検出信号に基づいて電気機器の電源を投入または遮断する電源操作ユニットが全て有線で接続されているものがある（例えば、特許文献１参照）。また、人が近づいたことを感知する赤外線センサを用いて電気機器の電源を操作するものがある（例えば、特許文献２参照）。
【先行技術文献】
【特許文献】
【０００３】
【特許文献１】特開昭５９−８５１９０号公報（第１図）
【特許文献２】特開平８−６５５９９号公報（（図１）
【発明の概要】
【発明が解決しようとする課題】
【０００４】
従来の電気機器の電源操作装置では、上述したように圧力マットと電源操作ユニットとが有線で接続されている場合、電気機器の設置場所が配線の届く範囲に制限され、たとえ配線を長くして設置しても、配線に足を引っ掛ける状況が発生するという問題点があった。また、人物を赤外線センサで感知する場合、電気機器に近づいた場合に電気機器の電源を自動的に遮断し、再び電源を投入する際は人為的にリセット操作を行うようにしなければならない構成のため、感知対象を子供または老人等、電気機器の電源操作についての仕組みに対し認識能力が低い者にとっては適切に電源操作を行うことが出来ないという問題点があった。
【０００５】
この発明は、かかる問題点を解決するためになされたもので、有線配線を不要にして電気機器の電源操作を自動的に行うことができる電気機器の電源操作装置を得ることを目的としている。
【課題を解決するための手段】
【０００６】
この発明に係る電気機器の電源操作装置は、荷重が作用したことを検出する圧力マットと、前記圧力マット４の検出信号に基づいて電源を投入または遮断する電源操作信号を無線送信するリモコン信号送信機とを備え、前記電源操作信号を受信するリモコン信号受光部２を内蔵したリモコン機能付き電気機器１の電源の投入または遮断を行うことを特徴とする。
【０００７】
また、他の発明に係る電気機器の電源操作装置は、荷重が作用したことを検出する圧力マットと、前記圧力マット４の検出信号に基づいて電源を投入または遮断する電源操作信号を無線送信するリモコン信号送信機と、電源と電気機器との間に設けられ、前記リモコン信号送信機からの電源操作信号を受信するリモコン信号受光部を内蔵して、前記電源操作信号の受信に基づいて前記電気機器の電源操作を行う電源操作ユニットとを備えたことを特徴とする。
【発明の効果】
【０００８】
この発明によれば、リモコン操作により、無線で自動電源操作ができ、有線配線により、配線に足を引っ掛ける状況を防止することができる。
【図面の簡単な説明】
【０００９】
【図１】この発明の実施の形態１に係る電気機器の電源操作装置を示すシステム構成図である。
【図２】この発明の実施の形態２に係る電気機器の電源操作装置を示すシステム構成図である。
【図３】この発明の実施の形態３に係る電気機器の電源操作装置を示すシステム構成図である。
【図４】この発明の実施の形態３における電源操作ユニットの内部構造図である。
【発明を実施するための形態】
【００１０】
実施の形態１．
図１はこの発明の実施の形態１に係る電気機器の電源操作装置を示すシステム構成図である。図１において、電源を投入または遮断する電源操作信号が予め設定記憶されているリモコン信号送信機３が圧力マット４に接続されている。圧力マット４は荷重が作用したことを検出するもので、子供または老人等、電気機器に対し認識能力が低い者がこの圧力マット４上に侵入した場合、圧力マット４の検出信号に基づいてリモコン信号送信機３から電源を投入すべき電源操作信号が送信され、例えばテレビ等のリモコン機能付き電気機器１のリモコン信号受光部２が当該電源操作信号を受信することで、電気機器１の電源が投入されることになる。
【００１１】
このように構成された電気機器の電源操作装置においては、リモコン機能付き電気機器１をリモコン信号送信機３からの無線信号に基づいて電源操作することになる。従って、ケーブルを配線することなく、電気機器の電源操作を自動的に行うことができる。
【００１２】
また、無線信号で電源操作するため、圧力マット４をテレビ等のリモコン機能付き電気機器１の直前に設置することも可能となっている。このため、子供または老人等、電気機器に対し認識能力が低い者がテレビ等のリモコン機能付き電気機器１に近づいた場合、電源を自動的に遮断するようにすることができ、近視等にならないように予防することができる。
【００１３】
また、リモコン信号送信機３はWi-Fi、Bluetooth（登録商標）信号送信にも対応している。このため、リモコン信号送信機３からの電源操作信号に基づいて、電源操作が発生した情報を、スマートフォン等で受信することができ、テレビ等のリモコン機能付き電気機器１に不用意に子供または老人等、電気機器に対し認識能力が低い者が近づく状況を、離れた場所においても素早く知ることができる。
【００１４】
実施の形態２．
図２はこの発明の実施の形態２に係る電気機器の電源操作装置を示すシステム構成図である。上述した実施の形態１では、圧力マット４を１枚使用した構成としたが、圧力マット４に内蔵されている連結接続端子を使用して、図２に示すように、複数の圧力マット４を連結して使用するように構成してもよい。
【００１５】
このような構成では、複数の圧力マット４により、圧力マットの検出範囲を拡大することができ、子供または老人等、電気機器に対し認識能力が低い者を感知する範囲を任意に広げることができる。
【００１６】
また、図２に示されるように、５枚連結された圧力マット４と１枚の圧力マット４とを離して配置するとともに離れて配置された圧力マットに応じてリモコン信号送信機３を別々に備え、別個に配置された、５枚連結された圧力マット４と１枚の圧力マット４とに、それぞれ別個の人体が侵入しなければリモコン機能付き電気機器１の電源操作ができないようにすることができる。例えば、子供と母親、老人と介護者のペアのように、電気機器の使用を管理できる者が同席する場合のみ、電源を投入し、電気機器１を使用できるようにすることができる。
【００１７】
実施の形態３．
図３はこの発明の実施の形態３に係る電気機器の電源操作装置を示すシステム構成図である。図３において、電源操作信号が予め設定記憶されているリモコン信号送信機３が圧力マット４に接続されている。また、例えば電気ストーブ等のリモコン機能無し電気機器６の電源ケーブル７が、リモコン信号送信機３から送信される電源操作信号をリモコン信号受光部２にて受信して電源操作を行う電源操作ユニット５に接続されている。すなわち、電源のコンセント８とリモコン機能無し電気機器６との間に、リモコン信号送信機３からの電源操作信号を受信するリモコン信号受光部２を内蔵して、電源操作信号の受信に基づいてリモコン機能無し電気機器６の電源操作を行う電源操作ユニット５が設けられている。
【００１８】
子供または老人等、電気機器に対し認識能力が低い者が圧力マット４上に侵入した場合、リモコン信号送信機３から電源操作信号が送信され、電源操作ユニット５によりリモコン機能無し電気機器６の電源を操作することになる。このように構成された電気機器の電源操作装置においては、リモコン信号でリモコン機能無し電気機器６の自動電源操作をすることになる。従って、リモコン機能無し電気機器６においても、自動電源操作ができる。
【００１９】
また、自動且つ無線で電源を操作するため、圧力マット４を電気ストーブ等のリモコン機能無し電気機器６の直前に設置することも可能となっている。このため、子供または老人等、電気機器に対し認識能力が低い者が電気ストーブ等のリモコン機能無し電気機器６に近づいた場合、電源を自動的に遮断することができ、やけどを負う等の事故から子供または老人等、電気機器に対し認識能力が低い者を守ることができる。
【００２０】
また、リモコン信号送信機３はWi-Fi、Bluetooth信号送信にも対応している。このため、自動電源操作が発生した情報を、スマートフォン等で受信することができ、ストーブ等のリモコン機能無し電気機器６に不用意に子供または老人等、電気機器に対し認識能力が低い者が近づく状況を、離れた場所においても素早く知ることができる。
【００２１】
ところで、上記説明では、この発明をリモコン機能無し電気機器６一台に対して利用する場合について述べたが、複数の電源操作ユニット５を使用することにより、複数のリモコン機能無し電気機器６を同時に自動電源操作できることはいうまでもない。
【００２２】
また、圧力マット４が、ある一定の重みやある一定時間以上重みを検知した時に、前記で述べたような電源操作が働くような構成にすれば、子供または老人等、電気機器に対し認識能力が低い者の検知精度が上がり、さらに利便性のよいシステムを提供することができる。
【００２３】
また、図４はこの発明の実施の形態３における電源操作ユニット５の内部構造を示すものである。図４において、電源操作電気機器用コンセント接続口１０は、電源配線を接続または遮断する機能を持つ電源操作回路８を介して電源操作ユニットコンセント１１に接続されている。また、電源操作回路８は、リモコン信号受信部２に接続されている。このように構成された電源操作ユニット５においては、リモコン信号受信部２に送信される電源操作信号に従い、電源配線を接続または遮断することができる。
【符号の説明】
【００２４】
１  リモコン機能付き電気機器
２  リモコン信号受光部
３  リモコン信号送信機
４  圧力マット
８  コンセント
５  電源操作ユニット
６  リモコン機能無し電気機器
７  電源ケーブル
９  電源操作回路
１０  電源操作電気機器用コンセント接続口
１１  電源操作ユニットコンセント
【図１】
2018182633.tif 000003
【図２】
2018182633.tif 000004
【図３】
2018182633.tif 000005
【図４】
2018182633.tif 000006